(57)【特許請求の範囲】
【請求項１】
複数種のカーテンウォール工法に対応可能としたカーテンウォールシステムであって、前記カーテンウォール構造は、相対的に室内側に位置する方立部と、相対的に室外側に位置しパネル面を構成する窓部とに構造的に分離した構造とされ、
前記方立部を構成する代替可能な複数種の方立部材として単一断面構造の方立と、左右対の関係で組み合わされる分割方立との２種が予め用意されるとともに、前記窓部を構成する代替可能な複数種の窓部構成部材の内、縦枠構成部材として、単一断面構造の縦枠と、左右対の関係で組み合わされる分割縦枠との２種が予め用意され、
前記左右対の関係で組み合わされる分割縦枠が、前記単一断面構造の方立と前記左右対の関係で組み合わされる分割方立とに対して、カーテンウォール工法に応じた構造条件の下で組合せ可能とされるとともに、カーテンウォールパネル面を境に室外側部分の仕様変更により外観意匠を選択可能としたことを特徴とするデザインバリエーションを有するカーテンウォールシステム。
【請求項２】
複数種のカーテンウォール工法に対応可能としたカーテンウォールシステムであって、前記カーテンウォール構造は、相対的に室内側に位置する方立部と、相対的に室外側に位置しパネル面を構成する窓部とに構造的に分離した構造とされ、
前記方立部を構成する代替可能な複数種の方立部材として単一断面構造の方立と、左右対の関係で組み合わされる分割方立との２種が予め用意されるとともに、前記窓部を構成する代替可能な複数種の窓部構成部材の内、縦枠構成部材として、単一断面構造の縦枠と、左右対の関係で組み合わされる分割縦枠との２種が予め用意され、
前記左右対の関係で組み合わされる分割縦枠が、前記単一断面構造の方立と前記左右対の関係で組み合わされる分割方立とに対して、カーテンウォール工法に応じた構造条件の下で組合せ可能とされるとともに、カーテンウォールパネル面を境に室外側部分において、縦押縁および横押縁の使用の有無、縦押縁および横押縁の断面形状変更、縦枠の軽微な形状変更、カバー材の取付けのいずれかまたは組合せを主とする仕様変更により、縦強調型カーテンウォール、縦・横同調型カーテンウォールおよび横強調型カーテンウォールを含むデザイン群、若しくは任意の組合せからなるデザイン群の内のいずれかを選択可能にしたことを特徴とするデザインバリエーションを有するカーテンウォールシステム。
【請求項３】
前記代替可能な複数種の窓部構造部材の内、横枠構成部材として、単一断面構造の横枠と、上下対の関係で組み合わされる分割横枠との２種が用意されている請求項１〜２いずれかに記載のデザインバリエーションを有するカーテンウォールシステム。
【請求項４】
縦枠において、ガラス支持部にアタッチメント取付けの有無により複層ガラスおよび単層ガラス仕様のいずれにも対応可能としてある請求項１〜３いずれかに記載のデザインバリエーションを有するカーテンウォールシステム。
【発明の詳細な説明】
【０００１】
【発明の属する技術分野】
本発明は、複数種のカーテンウォール工法（構造）に容易に対応可能であるとともに、構成部品の在庫管理等を簡素化し、かつ縦強調型カーテンウォール、縦・横同調型カーテンウォールおよび横強調型カーテンウォール等の外観デザインの選択を可能としたデザインバリエーションを有するカーテンウォールシステムに関する。
【０００２】
【従来の技術】
従来より、カーテンウォール工法によって建物の外壁を構築する場合、予め四周を分割方立および横枠からなる枠材にカーテンウォールパネルを組み込んだカーテンウォールユニットを順に取り付ける、所謂ユニット工法（以下、フルユニット方式スプリットマリオン工法ともいう。）と、施工場所において躯体に方立を取り付けたならば、これら方立間に無目を取り付けて開口枠を形成し、各開口にカーテンウォールパネルを取り付ける手順による、所謂ノックダウン方式とが知られている。
【０００３】
近年は、これらユニット方式とノックダウン方式との中間的な方式として、分割方立および横枠とからなるハシゴ形カーテンウォールユニットを順に取り付けた後、カーテンウォールパネルの取付けを行う、所謂ハシゴユニット方式スプリットマリオン工法と、施工場所において躯体に方立を取付けたならば、これら方立に縦枠および横枠からなる枠材にガラス、パネルなどを組み込んだ、所謂セミユニット方式バックマリオン工法とが存在する。これら２者のカーテンウォール工法は、方立を別体として躯体に先行して取付けるか否かの点から分類すると、前記ハシゴユニット方式スプリットマリオン工法はユニット工法に分類され、前記セミユニット方式バックマリオン工法はノックダウン工法に分類される。また、カーテンウォールユニットとしてパネルまで組み込んで一括で施工する点から分類すると、前記セミユニット方式バックマリオン工法はユニット工法に分類され、前記ハシゴユニット方式スプリットマリオン工法はノックダウン工法に分類される。
【０００４】
一方、近年はデザインの多様化、趣味・趣向性の多様化等に伴ってカーテンウォール形式も種々のものが提案されるようになってきた。たとえば、縦ラインを強調した縦強調型カーテンウォールや、縦・横ラインを同時に強調した縦・横同調型カーテンウォールおよび水平ラインを強調した横強調型カーテンウォールなどのものがそれぞれの構造形式として提案されている。これらのデザイン選択は、施主側の要求等に従ってデザイン段階から設計を行い、個別発注により製作を行ったり、メーカー側にて予め型式毎に予め用意された既成デザインから選択するなどの方法によりカーテンウォールの外観デザインが決定されている。
【０００５】
【発明が解決しようとする課題】
前記ユニット工法は、予め方立および横枠を組み立てた枠材にパネルを嵌め込んだカーテンウォールユニットを順に取り付けるものであるため、施工は効率的であるけれども、各ユニット間の取り合い及び止水構造等が複雑になるなどのデメリットがある一方、後者のノックダウン工法は、構造は簡略化されるけれども、現場で方立と横枠との連結作業、パネル嵌め込み作業等を行わなければならず、かかる作業に手間と時間が掛かるため、作業が省力化かつ効率化されないなどの問題がある。
【０００６】
また、メーカー側においても、仮に前述した４つのカーテンウォール工法にそれぞれ対応した商品を持つ場合、各工法毎にすべての形材、部品等を準備しておく必要があり、製作および管理が煩雑であるとともに、在庫管理品数が膨大となるなどの問題があった。
【０００７】
一方、デザイン選択に関しても、前者のデザイン段階から設計を行い個別に制作発注する方法の場合には、意匠的に施主の要求・趣向に応じたデザイン選択が可能となるが、個別製作となり製作費が嵩むため、たとえば大規模な超高層ビルなどでは採用可能であるけれども、一般的な中層・低層ビルではコスト的に採用し得るものではなかった。
【０００８】
後者のメーカー側にて用意された各型式別のカーテンウォール構造から選択する方法の場合には、前者の方法からすれば、大規模なコストダウンが図れるものの、デザイン選択の幅が狭く、施主の要求するデザイン趣向を満足することは出来なかった。
【０００９】
そこで本発明の主たる課題は、複数種のカーテンウォール工法に容易に対応可能であるとともに、構成部品の在庫管理等を簡素化し、かつデザイン要求に応じて任意に縦強調型カーテンウォール、縦・横同調型カーテンウォールおよび横強調型カーテンウォール等の型式選択ができる等、多種多様のデザイン要求に応じられるようにしたカーテンウォールシステムを提供することにある。
【００１０】
【課題を解決するための手段】
前記課題を解決するための本第１発明は、複数種のカーテンウォール工法に対応可能としたカーテンウォールシステムであって、前記カーテンウォール構造は、相対的に室内側に位置する方立部と、相対的に室外側に位置しパネル面を構成する窓部とに構造的に分離した構造とされ、
前記方立部を構成する代替可能な複数種の方立部材として単一断面構造の方立と、左右対の関係で組み合わされる分割方立との２種が予め用意されるとともに、前記窓部を構成する代替可能な複数種の窓部構成部材の内、縦枠構成部材として、単一断面構造の縦枠と、左右対の関係で組み合わされる分割縦枠との２種が予め用意され、
前記左右対の関係で組み合わされる分割縦枠が、前記単一断面構造の方立と前記左右対の関係で組み合わされる分割方立とに対して、カーテンウォール工法に応じた構造条件の下で組合せ可能とされるとともに、カーテンウォールパネル面を境に室外側部分の仕様変更により外観意匠を選択可能としたことを特徴とするものである。
【００１１】
また、具体的態様に係る本第２発明は、複数種のカーテンウォール工法に対応可能としたカーテンウォールシステムであって、前記カーテンウォール構造は、相対的に室内側に位置する方立部と、相対的に室外側に位置しパネル面を構成する窓部とに構造的に分離した構造とされ、
前記方立部を構成する代替可能な複数種の方立部材として単一断面構造の方立と、左右対の関係で組み合わされる分割方立との２種が予め用意されるとともに、前記窓部を構成する代替可能な複数種の窓部構成部材の内、縦枠構成部材として、単一断面構造の縦枠と、左右対の関係で組み合わされる分割縦枠との２種が予め用意され、
前記左右対の関係で組み合わされる分割縦枠が、前記単一断面構造の方立と前記左右対の関係で組み合わされる分割方立とに対して、カーテンウォール工法に応じた構造条件の下で組合せ可能とされるとともに、カーテンウォールパネル面を境に室外側部分において、縦押縁および横押縁の使用の有無、縦押縁および横押縁の断面形状変更、縦枠の軽微な形状変更、カバー材の取付けのいずれかまたは組合せを主とする仕様変更により、縦強調型カーテンウォール、縦・横同調型カーテンウォールおよび横強調型カーテンウォールを含むデザイン群、若しくは任意の組合せからなるデザイン群の内のいずれかを選択可能にしたことを特徴とするものである。
【００１２】
これらの場合、前記代替可能な複数種の窓部構造部材の内、横枠構成部材として、単一断面構造の横枠と、上下対の関係で組み合わされる分割横枠との２種が用意されていることが望ましい。
【００１３】
また、縦枠において、ガラス支持部にアタッチメント取付けの有無により複層ガラスおよび単層ガラス仕様のいずれにも対応可能としてあるのが望ましい。
【００１４】
【発明の実施の形態】
以下、本発明の実施の形態について図面を参照しながら詳述する。
【００１５】
《カーテンウォールの工法変更》
本発明に係るカーテンウォール構造は、図１に示されるように、ノックダウン工法ＫＤ、ハシゴユニット方式スプリットマリオン工法ＬＵ、セミユニット方式バックマリオン工法ＢＭおよびフルユニット方式スプリットマリオン工法ＳＭの４つの工法（構造）間において、最大限の部材の共通化を図ることにより、最小限の部材変更により、複数種のカーテンウォール工法に容易に対応可能であるとともに、構成部品の在庫管理等を簡素化したカーテンウォール構造である。
【００１６】
具体的には、カーテンウォール構造は、相対的に室内側に位置する方立部と、相対的に室外側に位置しパネル面を構成する窓部とに構造的に分離した構造とされ、同図に示されるように、前記方立部に関しては、ノックダウン工法ＫＤおよびセミユニット方式バックマリオン工法ＢＭの方立を共通化するとともに、ハシゴユニット方式スプリットマリオン工法ＬＵおよびフルユニット方式スプリットマリオン工法ＳＭの方立を共通化し、一方前記窓部では、縦枠に関し、前記ハシゴユニット方式スプリットマリオン工法ＬＵ、セミユニット方式バックマリオン工法ＢＭおよびフルユニット方式スプリットマリオン工法ＳＭの縦枠を共通化するとともに、横枠に関し、セミユニット方式バックマリオン工法ＢＭおよびフルユニット方式スプリットマリオン工法ＳＭの横枠を共通化したものである。これら前記複数種の方立部材と複数種の窓部構成部材とは、カーテンウォール工法に応じた構造条件の下で任意に組合せ可能とされる。
【００１７】
以下、本システム構成の理解のために、具体的にセミユニット方式バックマリオン工法ＢＭ、フルユニット方式スプリットマリオン工法ＳＭ、ハシゴユニット方式スプリットマリオン工法ＬＵ、ノックダウン工法ＫＤの順で工法変更手順を交えながら、これらのカーテンウォール構造について詳述する。
【００１８】
〔セミユニット方式バックマリオン工法〕
セミユニット方式バックマリオン工法ＢＭに係るカーテンウォール構造は、建物躯体（床）の端部に固定された方立支持金具によって、水平方向に間隔をおいて上下方向に沿って方立２，２…を架け渡した後、この方立２，２…を支持部材として、縦枠３Ａ、３Ｂおよび上・下横枠４Ａ、４Ｂ、図示例では中間横枠５を含んで枠状部材を構成するとともに、この枠状部材の室外面側に縦押縁６Ａ、６Ｂおよび横押縁７Ａ、７Ｂを取付けガラスＧ、Ｇ（複層ガラス）を嵌め込んだパネルユニットＵBMを順に取り付けるようにした構造のカーテンウォールである。
【００１９】
前記方立２は、図２に示されるように、内空に隔壁を備え２つの中空室を有する断面略方形状の型材で、室外側面の両側縁部には、部材長手方向に沿って縦枠３Ａ、３Ｂに当接する突片２ａ、２ｂが形成されている。
【００２０】
前記方立２は、建物躯体の床端部に固定される方立支持金具によって支持される。具体的には、図１９および図２０に示されるように、躯体Ｆの端部にアンカー金具５０が埋設固定されるとともに、このアンカー金具５０に頭部が嵌合支持され、かつネジ部を外部に突出させて設けられた固定用ボルト５１およびナット５１Ａによってファスナー５２を固定し、一方前記方立２の上部側に取付け金具５３をボルト５４，５４によって固定し、この取付け金具５３とファスナー５２との間にライナー金具５５を介在させた状態で固定用ボルト５６およびナット５６Ａによって締結している。なお、前記取付け金具５３の上部にはボルト保持用筒５３ａが一体的に設けられ、かつこのボルト保持用筒５３ａに挿入された上下方向調整ボルト５７の先端が前記ライナー金具５５より延在する上部フランジ片５５ａの水平面に当接することにより据え付け時に方立２の鉛直方向の建付けが調整されるようになっている。なお、前記ボルト保持用筒５３ａの内面に雌ネジを設け、上下方向調整ボルト５７を螺入してもよい。
【００２１】
前記カーテンウォール支持部は、各フロア毎に設けられ、相対的に下段側の方立２頭部に下半部が嵌合され、ボルト５４によって固定された接合用部材５８の上部が上段側方立２の中空部に挿入されることによって方立２の連続性が確保されるようになっている。
【００２２】
方立２の固定が完了したならば、前記パネルユニットＵBMが取り付けられる。前記パネルユニットＵBMを構成する縦枠３Ａ、３Ｂの内、一方の縦枠３Ａは図２に示されるように、略方形断面の縦枠本体の室外側面において、その内方側にガラス支持部２０を備えるとともに、外方側に室外側に延在する押縁取付け片２１を備え、かつ外側見込み面にはウインドバリア取付け片２２ａとレインバリア取付け片２２ｂとが形成されている。他方の縦枠３Ｂも同様に、略方形断面の縦枠本体の室外側面において、その内方側にガラス支持部２０を備えるとともに、外方側に室外側に延在する押縁取付け片２１を備えるが、外側見込み面には前記ウインドバリア取付け片２２ａに係止されたウインドバリア２３が当接する突片２４ａと、前記レインバリア取付け片２２ｂに係止されたレインバリア２５が当接する突片２４ｂとが形成されている。前記押縁取付け片２１，２１には、それぞれ縦押縁６Ａ、６Ｂが取り付けられ、ガラスＧ、Ｇを間に挟んで、室内側および室外側にそれぞれ施工されたバックアップ材・シーリング材３４、３４により前記ガラスＧ、Ｇが嵌合溝内に支持されている。前記縦枠３Ａ、３ＢはパネルユニットＵBMが隣接配置された状態で左右対の関係で組み合わされる。
【００２３】
また、前記縦枠３Ａ、３Ｂの室内側面には、後述のフルユニット方式スプリットマリオン工法ＳＭ、ハシゴユニット方式スプリットマリオン工法ＬＵにおいて、背面側の分割方立１３と連結するために、断面Ｌ字状係止片２６ａ、２６ｂおよび板状突片２７ａ、２７ｂが設けられている。
【００２４】
一方、前記パネルユニットＵBMを構成する上・下横枠４Ａ、４Ｂの内、一方の上横枠４Ａは図４に示されるように、断面略方形状の横枠本体の室外側に延在して下方側に向けてガラス嵌合溝を形成するように押縁取付け用延在片２８が形成されるとともに、背面側には部材長手方向に沿ってボルト頭部嵌合用リップ条溝２９が形成されている。前記押縁取付け用延在片２８には横押縁７Ａが取付けられ、前記横枠本体に取り付けられたガラス背面支持用ガスケット３０と、バックアップ材・シーリング材３１によってガラスＧ、Ｇが前記ガラス嵌合溝内に支持されている。
【００２５】
また、他方の下横枠４Ｂは、断面略方形状の横枠本体の室外側に延在して上方側に向けてガラス嵌合溝を形成するように押縁取付け用延在片３２が形成されるとともに、背面側には部材長手方向に沿ってボルト頭部嵌合用リップ条溝３３が形成されている。前記押縁取付け用延在片３２には横押縁７Ｂが取付けられ、ガラスＧ、Ｇを間に挟んで、室内側および室外側にそれぞれ施工されたバックアップ材・シーリング材３４、３４により前記ガラスＧ、Ｇがガラス嵌合溝内に支持されている。前記上横枠４Ａ、下横枠４Ｂは、パネルユニットＵBMが隣接配置された状態で上下対の関係で組み合わされる。
【００２６】
他方、中間横枠５は、図３に示されるように、単一中空断面の横枠本体の室外側面に、上下段配置でそれぞれ上側ガラス用押縁取付け片３５と、下側ガラス用押縁取付け片３６とが設けられ、前記上側ガラス用押縁取付け片３５に取り付けられた横押縁８Ａによって上側ガラス嵌合溝が形成されるとともに、前記下側ガラス用押縁取付け片３６に取り付けられた横押縁８Ｂによって下側ガラス嵌合溝が形成される。ガラスＧ、Ｇは、室内側および室外側にそれぞれ施工されたバックアップ材・シーリング材３４／ガラス背面支持用ガスケット３０によりガラス嵌合溝内に支持されている。また、室内側面には、部材長手方向に沿ってボルト頭部嵌合用リップ条溝３７が設けられている。
【００２７】
前記構造のパネルユニットＵBMは、方立２に対して取付け用ブラケット９を用いて取り付けられる。前記取付け用ブラケット９は、断面Ｌ字状のピース状部材で、方立側フランジ９Ａおよび横枠側フランジ９Ｂのそれぞれには、方立ボルト挿通孔９ａおよび横枠ボルト挿通孔９ｂが形成され、前記方立ボルト挿通孔９ａおよび方立２を貫いて挿通された方立ボルト１０により方立２の両側に前記取付け用ブラケット９，９が固定される。前記パネルユニットＵBMの取付けに当たっては、図示しないクレーン設備等によって前記パネルユニットＵBMを取付け位置まで吊り運搬したならば、前記上・下横枠４Ａ、４Ｂおよび中間横枠５の背面側に形成されたボルト頭部嵌合用リップ条溝２９、３３，３７に対して、横枠固定ボルト１１の頭部１１ａを嵌合させ、背面側に突出するネジ部１１ｂを前記取付け用ブラケット９の横枠ボルト挿通孔９ｂに挿通し、ナット１２により締結するようにする。
【００２８】
前記パネルユニットＵBMを隣接配置した状態では、水平方向に隣接するパネルユニットＵBM間では、図２に示されるように、隣接する縦枠３Ａ、３Ｂ間においてレインバリア２５，ウインドバリア２３によって気水密性が確保されるようになっているとともに、上下方向に隣接パネルユニット間ＵBM間では、図４に示されるように、シールパッキン４２により気水密性が確保されるようになっている。一方、目地交点部では、隣接する上・下横枠４Ａ、４Ｂ間においては、上横枠４Ａの上面側に気密バリヤ３９を一体的に備えるレインバリア３８が配設され、このレインバリア３８の舌片が下横枠４Ｂの下面に接触することにより、およびこれの室内側位置において、さらに気密バリヤ４１を一体的に備えるウインドバリア４０を設けることにより、目地交点部から雨水等が浸入するのを確実に防止するようになっている。前記レインバリア３８、ウインドバリア４０は水平方向に隣接するパネルユニットＵBMの上横枠４Ａ、４Ａ間に跨って所定の区間長に亘って配設される。
【００２９】
〔フルユニット方式スプリットマリオン工法〕
フルユニット方式スプリットマリオン工法ＳＭに係るカーテンウォール構造は、方立を左右の分割構造とし、分割方立を一体的に備える縦枠３Ａ、３Ｂ、上・下横枠４Ａ、４Ｂおよび中間横枠５によって枠状部材を構成するとともに、この枠状部材の室外面側に縦押縁６Ａ、６Ｂおよび横押縁７Ａ、７Ｂを取付けるとともに、ガラスＧ、Ｇ（複層ガラス）を嵌め込んだパネルユニットＵSMを順に建物躯体（床）の端部に固定された方立支持金具に取り付けるようにした構造のカーテンウォールである。
【００３０】
前述のセミユニット方式バックマリオン工法ＢＭに係るカーテンウォール構造を本フルユニット方式スプリットマリオン工法ＳＭに係るカーテンウォール構造に変更するには、図５に示されるように、方立２の変更のみで対応できるようになっている。具体的には同図に示されるように、単一断面構造の前記方立２に代えて、左右対の分割方立１３Ａ、１３Ｂからなり、左右の関係で組み合わされ一体を成す方立１３が使用される。
【００３１】
一方側の分割方立１３Ａは、略方形状の中空断面を成し、対向面の室内側寄り位置には凹部１３ａが形成されているとともに、室外側の面には部材長手方向に沿って板状突片１３ｂ、Ｌ字状突片１３ｃが夫々形成されている。他方の分割方立１３Ｂも同様に、略方形状の中空断面を成し、対向面の室内側寄り位置には突片１３ｄが形成され、室外側の面には部材長手方向に沿って板状突片１３ｆ、Ｌ字状突片１３ｅが夫々形成されている。
【００３２】
前記分割方立１３Ａを縦枠３Ａの室内側面に一体的に組み付けるには、前記分割方立１３Ａの室外側面に形成されたＬ字状突片１３ｃを縦枠３Ａの室内側面に形成された断面Ｌ字状係止片２６ａに係止するとともに、分割方立１３Ａの室外側面に形成された板状突片１３ｂを縦枠３Ａの室内側面に形成された板状突片２７ａと重ね合わせ、両者を貫通する連結リベット４３，４３…によって連結を図る。この連結部には縦方向に沿ってカバー材４４が取り付けられる。
【００３３】
一方の分割方立１３Ｂを縦枠３Ｂの室内側面に一体的に組み付ける場合も同様に、前記分割方立１３Ｂの室外側面に形成されたＬ字状突片１３ｅを縦枠３Ｂの室内側面に形成された断面Ｌ字状係止片２６ｂに係止するとともに、分割方立１３Ｂの室外側面に形成された板状突片１３ｆを縦枠３Ｂの室内側面に形成された板状突片２７ｂと重ね合わせ、両者を貫通する連結リベット４３，４３…によって連結を図る。この連結部にも縦方向に沿ってカバー材４４が取り付けられる。
【００３４】
前述した以外の構造部分、具体的に縦枠３Ａ、３Ｂ、上・下横枠４Ａ、４Ｂ、中間横枠５、縦押縁６Ａ、６Ｂ、横押縁７Ａ、７Ｂ等については、前記セミユニット方式バックマリオン工法ＢＭの場合と全く同様であるため、同符号を付して説明は省略する。
【００３５】
以上、分割方立１３Ａ、１３Ｂを含みながら構成されたパネルユニットＵSMは躯体（床）に固定された方立支持金具に対して順に取り付けられる。前記方立支持金具は、図２１および図２２に示されるように、躯体Ｆの端部にアンカー金具５０が埋設固定されるとともに、このアンカー金具５０に頭部が嵌合支持され、かつネジ部を外部に突出させて設けられた固定用ボルト５１およびナット５１Ａによってファスナー５２が固定された構造のもので、前記分割方立１３の上部側に取付け金具５３をボルト５４，５４によって固定しておき、図示しないクレーン設備等によって前記パネルユニットＵＳMを取付け位置まで吊り運搬したならば、前記取付け金具５３とファスナー５２との間にライナー金具５５を介在させた状態で固定用ボルト５６およびナット５６Ａによって締結し固定する。なお、前記取付け金具５５の上部にはボルト保持用筒５３ａが一体的に設けられ、かつこのボルト保持用筒５３ａに挿入された上下方向調整ボルト５７の先端が前記ライナー金具５５より延在する上部フランジ片５５ａの水平面に当接することにより据え付け時に分割方立１３の鉛直方向の建付けが調整されるようになっている。前記カーテンウォール支持部は、各フロア毎に設けられ、相対的に下段側の方立１３頭部に下半部が嵌合され、ボルト５４によって固定された接合用部材５８の上部が上段側方立１３の中空部に挿入されることによって方立１３の連続性が確保されるようになっている。なお、前記ボルト保持用筒５３ａの内面に雌ネジを設け、上下方向調整ボルト５７を螺入してもよい。
【００３６】
〔ハシゴユニット方式スプリットマリオン工法〕
ハシゴユニット方式スプリットマリオン工法ＬＵに係るカーテンウォール構造は、方立を左右の分割構造とし、分割方立を一体的に備える縦枠３Ａ、３Ｂ、上下二段の中間横枠５によって構成されるハシゴ形の面材をパネルユニットＵLUとして順に建物躯体（床）の端部に固定された方立支持金具に取り付けた後、枠状部材の室外面側に縦押縁６Ａ、６Ｂおよび横押縁８Ａ、８Ｂを取付けるとともに、ガラスＧ、Ｇ（複層ガラス）を嵌め込むようにした構造のカーテンウォールである。
【００３７】
前記フルユニット方式スプリットマリオン工法ＳＭに係るカーテンウォール構造を本ハシゴユニット方式スプリットマリオン工法ＬＵのカーテンウォール構造に変更するには、図９に示されるように、上・下横枠４Ａ、４Ｂを単一断面構造の横枠、具体的には前記セミユニット方式バックマリオン工法ＢＭおよびフルユニット方式スプリットマリオン工法ＳＭに係るカーテンウォール構造において、中間横枠５として用いた横枠に変更するのみで足りる。これ以外の構造部分、具体的に分割方立１３，縦枠３Ａ、３Ｂ、縦押縁６Ａ、６Ｂ、横押縁８Ａ、８Ｂ等については、前記フルユニット方式スプリットマリオン工法ＳＭの場合と同様であるため、同符号を付して説明は省略する。
【００３８】
分割方立１３Ａ、１３Ｂを含みながら構成された前記パネルユニットＵLUを躯体（床）に固定された方立支持金具に対して順に取り付けたならば、縦枠３Ａ、３Ｂおよび中間横枠５，５に縦押縁６Ａ、６Ｂおよび横押縁８Ａ、８Ｂを取付けるとともに、縦枠３Ａ、３Ｂおよび中間横枠５，５によって囲まれた枠内に対して、ガラスＧ、Ｇを嵌め込み、ガラスＧ、Ｇを間に挟んで室内側および室外側にそれぞれ施工されたバックアップ材・シーリング材３４、ガラス背面支持用ガスケット３０により支持するようにする。
【００３９】
〔ノックダウン工法〕
ノックダウン工法ＫＤに係るカーテンウォール構造は、建物躯体（床）の端部に固定された方立支持金具によって、水平方向に所定の間隔をおいて上下方向に沿って方立２，２…を固定した後、前記方立２，２の室外側面に縦枠１４を取り付けるとともに、上下方向に所定の間隔で横枠（無目）を架け渡して窓部開口枠を構成し、この開口枠の室外側に横押縁７Ａ'、７Ｂ'を取付け、ガラスＧ、Ｇ（複層ガラス）を嵌め込むようにした構造のカーテンウォールである。
【００４０】
前記ハシゴユニット方式スプリットマリオン工法に係るカーテンウォール構造を本ノックダウン工法に係るカーテンウォール構造に変更するには、分割方立１３、縦枠３Ａ、３Ｂおよび中間横枠５，５を変更する。
【００４１】
具体的には、図１３に示されるように、前記分割方立１３代えて単一断面構造の方立２を使用するとともに、図１４に示されるように、前記縦枠３Ａ、３Ｂおよび縦押縁６Ａ、６Ｂに代えて左右両側に夫々ガラス嵌合溝を形成するようにした縦枠１４を使用する。また、図１５に示されるように、中間横枠５，５に代えて中間横枠１８，１９を使用する。
【００４２】
より詳しく説明すると、前記方立２は、前記セミユニット方式バックマリオン工法ＢＭにおいて使用した方立２がそのまま使用される。また、前記縦枠１４は、方立２の室外側面に取り付けられる断面Ｔ字状を成す中間連結部材１５、この中間連結部材１５にビス４５，４５…によって連結される断面逆Ｔ字状を成す縦枠本体１６、およびこれら中間連結部材１５および縦枠本体１６の両側に夫々取り付けられ、ガラス背面側を支持するためのガラス支持部１７ａ、１７ｂを有する側枠１７Ａ、１７Ｂとから構成されるもので、ノックダウン工法ＫＤに専用で使用される部材である。
【００４３】
一方、前記中間横枠５は機能の点、すなわち上側および下側にそれぞれ開口を向けたガラス嵌合溝を形成している点から言えば、本ノックダウン工法ＫＤにおいてもそのまま使用することもできるが、断面形状の縮小化を図るとともに、前記縦枠本体１６の見付け外観との整合を図るために、専用の中間横枠１８，１９を使用するようにしている。前記中間横枠１８，１９はほぼ類似形状の断面をしているが、腰部に使用される中間横枠１９には、上面の室内側より位置に腰壁嵌合溝を形成するために起立壁１９ｃを有する断面形状となっている。
【００４４】
前記中間横枠１８，１９は共に、略方形断面を成す横枠本体の室外側面に断面略Ｌ字状を成す押縁取付け片１８ａ、１９ａを有し、この押縁取付け片１８ａ、１９ａの上面側に横押縁７Ａ'を取り付けるとともに、下面側に横押縁７Ｂ'を取付け、上側および下側にそれぞれ開口を向けたガラス嵌合溝を形成するようになっている。
【００４５】
施工に当たっては、先ず建物躯体（床）の端部に固定された方立支持金具に方立２、２…を固定する。固定態様は、前記セミユニット方式バックマリオン工法ＢＭの場合と同様である（図１９および図２０参照）。
【００４６】
次いで、図１６に示されるように、方立２，２…の室外側面に対して前記中間連結部材１５を連結ビス４６，４６…によって固定するとともに、この中間連結部材１５に縦枠本体１６を連結する。前記縦枠本体１６の中間横枠１８，１９配設部位には両側にそれぞれ横枠支承金具４７，４７を取り付け、これら横枠支承金具４７，４７間に横架させるようにして中間横枠１８，１９を取り付ける。その後、前記中間連結部材１５、縦枠本体１６の両側にそれぞれ側枠１７Ａ、１７Ｂを取り付けて、ガラス嵌合溝を構成する。
【００４７】
こうして、方形枠状のガラス嵌合溝が形成されたならば、横押縁７Ａ'、７Ｂ'を取付け、ガラスＧ、Ｇを嵌め込むとともに、室内側および室外側にそれぞれ施工されたバックアップ材・シーリング材３４またはガラス背面支持用ガスケット３０により支持するようにする。
【００４８】
以上、セミユニット方式バックマリオン工法ＢＭ、フルユニット方式スプリットマリオン工法ＳＭ、ハシゴユニット方式スプリットマリオン工法ＬＵ、ノックダウン工法ＫＤの順で工法変更手順を交えながら、これらのカーテンウォール構造について詳述したが、本構造に係るカーテンウォールシステムの場合には、経年後にカーテンウォールの一部を同工法のカーテンウォールはもちろんのこと、異工法のカーテンウォールにより補修または外装表面材の取替えが可能となる。このリニューアル時の便宜のために、本カーテンウォール構造では、たとえば図４に示されるように、横枠の室内側において、横枠に設けられた蓋板係止具６０と、額縁本体６１とに跨って開口自在の蓋板６２が取り付けられ、前記横枠が封鎖されるようになっている構造において、前記蓋板６２は額縁本体６１との固定に用いられているボルト６３を取り除いた後、前記蓋板係止具６０を回転中心として開いたとき、横枠部分が露出するようになっており、内装仕上げ材（膳板、ブラインドボックス、腰壁等）を破壊する必要なく、容易にリニューアル工事が行えるようになっている。
【００４９】
《カーテンウォールの外観デザイン変更》
図２３に示されるように、本例では、ハシゴユニット方式スプリットマリオン工法ＬＵ、セミユニット方式バックマリオン工法ＢＭおよびフルユニット方式スプリットマリオン工法ＳＭの３つの工法（構造）に対応して、縦強調型カーテンウォール、縦・横同調型カーテンウォール、横連窓（横強調型カーテンウォールの応用）および横強調型カーテンウォールの４つの外観デザインが用意され、任意に選択可能となっている。なお、前記ノックダウン工法ＫＤについては、縦枠が専用品となるため、縦強調型カーテンウォールおよび横強調型カーテンウォールのみに対応となっている。また、ガラス仕様についても、任意に複層ガラスおよび単層ガラス仕様の内のいずれかを選択可能となっている。
【００５０】
〔ハシゴユニット方式スプリットマリオン工法ＬＵ、セミユニット方式バックマリオン工法ＢＭおよびフルユニット方式スプリットマリオン工法ＳＭにおける外観デザイン変更〕
前記ハシゴユニット方式スプリットマリオン工法ＬＵ、セミユニット方式バックマリオン工法ＢＭおよびフルユニット方式スプリットマリオン工法ＳＭの３つの工法においては、縦枠３Ａ、３Ｂについては完全に同一の部材が使用され、横枠４Ａ、４Ｂについては、単一断面か分割断面かで若干異なるものの横押縁の取付け部については構造が同じとなっている。したがって、外観デザイン変更は前記ハシゴユニット方式スプリットマリオン工法ＬＵ、セミユニット方式バックマリオン工法ＢＭおよびフルユニット方式スプリットマリオン工法ＳＭの３工法間において、全く同一の手法によって行うことが可能である。なお、前記カーテンウォール工法変更の説明において図示された例はすべて縦強調型カーテンウォールである。
【００５１】
したがって、代表的にフルユニット方式スプリットマリオン工法ＳＭを例（図６〜図８）を採り、外観デザイン変更等について、図２４〜図２７に基づいて詳述することとする。
【００５２】
（単層ガラス仕様への変更および見付け幅変更）
先ず、図６〜図８に示される複層ガラス仕様のカーテンウォールを単層ガラス仕様に変更するには、図２４に示されるように、縦枠３Ａ、３Ｂ、上・下横枠４Ａ、４Ｂ（および中間横枠５）のガラス支持部２０の室外側面に同形状のガラス支持部アタッチメント６０をビス６１によって固定するようにする。これによって、ガラス嵌合溝の幅が単層ガラス仕様に対応した溝幅とすることが可能となる。
【００５３】
また、見付け幅を狭くしスレンダーな印象を与えるようにするには、図２４(A)に示されるように、縦押縁６Ａ、６Ｂに代えて、見付け幅Ｂ1を小さくした縦押縁６Ａ'、６Ｂ'を使用するようにするとともに、横押縁７Ｂに代えて見付け幅Ｂ2を小さくした横押縁６２を用いるようにする。また、横押縁７Ａは使用しないようにする。その他の構造については、同じであるため同符号を付して説明は省略する。
【００５４】
（縦・横同調型カーテンウォールへの変更）
次いで、図６〜図８に示される縦強調型カーテンウォールを縦・横同調型カーテンウォールに変更するには、縦押縁６Ａ”、６Ｂ”は室外側のＬ字片を切断したものを使用し、横押縁７Ａ、７Ｂを変更する。具体的には、図２５(B)に示されるように、前記横押縁７Ｂに代えて、室外側部分に中空部を有する横押縁６２Ｂを使用するとともに、前記横押縁７Ａに代えて室外側部分に中空部およびこれに隣接してＵ字中空部を有する横押縁６２Ａを使用する。なお、前記Ｕ字中空部には雨水等が浸入しないようにバックアップ材６４を充填するとともに、シール６３を充填するようにしている。もちろん、前記中空部およびこれに隣接するＵ字中空部を１つの中空部で構成するようにしてもよい。その他の構造については、同じであるため同符号を付して説明は省略する。
【００５５】
（横強調型カーテンウォールへの変更）
図６〜図８に示される縦強調型カーテンウォールを横強調型カーテンウォールに変更するには、図２６に示されるように、横押縁７Ａ、７Ｂはそのままとし、相対的に縦方向の目地ライン幅を小さくする。具体的には図２６(A)に示されるように、縦枠３Ａ、３Ｂにおいて、縦枠本体から室外側に延在する押縁取付け片２１，２１を途中で切断するとともに、縦押縁６Ａ、６Ｂは使用しないようにする。この際、ガラスＧの側縁部と、前記押縁取付け片２１の残存部２１ａとの間にシール６４を充填して隙間を封鎖するようにする。その他の構造については、同じであるため同符号を付して説明は省略する。
【００５６】
（横連窓への対応）
図２７(A)に示されるように、横連窓の上枠７０および下枠７１については、専用品が使用され、図２７(B)に示されるように、分割方立については、構造強度が低くて足りるため、断面サイズの小さい分割方立１３'が使用される。しかし、縦枠３Ａ、３Ｂについては、縦強調型カーテンウォールにおいて使用したものを一部加工を施した上で使用することができる。具体的には、縦枠３Ａ、３Ｂにおいて、縦枠本体から室外側に延在する押縁取付け片２１，２１を切断して使用する。なお、縦押縁６Ａ、６Ｂは使用しない。
【００５７】
縦目地部分においては、ガラスＧ、Ｇの背面側にバックアップ材６８が配設され、ガラスＧ、Ｇの側縁間にシール６５が充填される。また、前記バックアップ材６８の室内側にパッキン６７が配設されるとともに、縦枠３Ａ、３Ｂの間にシール材６６が充填される。
【００５８】
〔ノックダウンＫＤにおける外観デザイン変更〕
次いで、図１６〜図１８に示されるノックダウン工法に係る縦強調型カーテンウォールを横強調型カーテンウォールに変更した場合の例を図２８に示す。ガラスＧよりも室外側に部材を延在させないために、縦強調型カーテンウォールにおいて使用した縦枠本体１６は使用せずに、方立２の室外側面に取り付けられる断面Ｔ字状を成す中間連結部材１５’、およびこれに連結される両側枠１７’からなる縦枠１４’を使用する。前記両側枠１７’は、隣接するガラスＧの両方を支持可能な部材断面とするため両側に夫々ガラス支持部１７ａ、１７ｂを備えている。縦目地部分においては、ガラスＧ、Ｇの背面側にバックアップ材６８が配設され、ガラスＧ、Ｇの側縁間にシール６５が充填される。また、横枠支承金具４７の位置は室内側に移動させ、前記中間連結部材１５’に固定するようにしている。
【００５９】
〔その他〕
以上詳述した実施形態例において、たとえば縦押縁６Ａ、６Ｂの室外側断面形状は方形状としてあるが、この断面形状は任意の断面形状とすることができるし、複数種のものを予め用意することができる。例えば、図２９に示される例は、縦押縁６９Ａ、６９Ｂは、室外側の中空方形部から外部に延在する凸部６９ａ、６９ｂを有する断面形状とした例である。また、横強調型カーテンウォールにおいても、図３０に示されるように、横目地化粧カバー７２を取り付けることによって横ラインを強調することもできる。この例では中空三角形状の断面形状としたが、断面形状は任意の形状とすることができるし、予め複数種の断面形状のものを用意することができる。
【００６０】
以上、デザインバリエーションを有するカーテンウォールシステムについて詳述したが、本カーテンウォールにおいては、代替可能な複数種の方立部材と、前記窓部を構成する代替可能な複数種の窓部構成部材とが相互に嵌め合い可能であるとともに、異なる工法間でも横枠が相互に嵌め合い可能となっているため、図３１に示されるように、１つの建物の壁面内で異なる工法のユニットまたは部材を組み合わせて壁面を構成することが可能になるとともに、縦強調デザイン、横強調デザインおよび縦・横同調デザインを任意の組合せで混在させることが可能になる。
【００６１】
【発明の効果】
以上詳説のとおり本発明によれば、複数種のカーテンウォール工法に容易に対応可能であるとともに、構成部品の在庫管理等を簡素化し得るようになる。また、部材の共通化により、同一建物の中で工法変更を容易に行い得るようになるとともに、リニューアル時においても、外装表面材の貼り替えが可能となり、省力化を可能とする。
【００６２】
さらに、デザイン要求に応じて任意に縦強調型カーテンウォール、縦・横同調型カーテンウォールおよび横強調型カーテンウォール等の型式選択ができる等、多種多様のデザイン要求に応じられるようになる。このデザイン変更は、カーテンウォール工法が異なっても、共通の部材が使用されていることにより容易に行えるとともに、共通の部品、部材で構成されているので、１つの建物の壁面内で異種のデザインを容易に組み合わせることが可能である。また、工法変更およびデザイン変更によっても性能に変動が出ることはなく、安定した品質が常に確保されるようになる。
【図面の簡単な説明】
【図１】  本カーテンウォールのシステム構成説明図である。
【図２】  セミユニット方式バックマリオン工法における水平横断面図（図１のII−II線矢視図）である。
【図３】  セミユニット方式バックマリオン工法における中間横枠部縦断面図（図１のIII−III線矢視図）である。
【図４】  セミユニット方式バックマリオン工法における上・下横枠部縦断面図（図１のIV−IV線矢視図）である。
【図５】セミユニット方式バックマリオン工法からフルユニット方式スプリットマリオン工法へ変更する場合の部材変更図である。
【図６】  フルユニット方式スプリットマリオン工法における水平横断面図（図１のVI−VI線矢視図）である。
【図７】  フルユニット方式スプリットマリオン工法における中間横枠縦断面図（図１のVII−VII線矢視図）である。
【図８】  フルユニット方式スプリットマリオン工法における上・下横枠縦断面図（図１のVIII−VIII線矢視図）である。
【図９】  フルユニット方式スプリットマリオン工法からハシゴユニット方式スプリットマリオン工法へ変更する場合の部材変更図である。
【図１０】  ハシゴユニット方式スプリットマリオン工法における水平横断面図（図１のX-X線矢視図）である。
【図１１】  ハシゴユニット方式スプリットマリオン工法における中間横枠縦断面図（その１）（図１のXI-XI線矢視図）である。
【図１２】  ハシゴユニット方式スプリットマリオン工法における中間横枠縦断面図（その２）（図１のXII-XII線矢視図）である。
【図１３】  ハシゴユニット方式スプリットマリオン工法からノックダウン工法へ変更する場合の部材変更図（その１）である。
【図１４】  ハシゴユニット方式スプリットマリオン工法からノックダウン工法へ変更する場合の部材変更図（その２）である。
【図１５】  ハシゴユニット方式スプリットマリオン工法からノックダウン工法へ変更する場合の部材変更図（その３）である。
【図１６】  ノックダウン工法における水平横断面図（図１のXVI-XVI線矢視図）である。
【図１７】  ノックダウン工法における中間横枠縦断面図（その１）（図１のXVII-XVII線矢視図）である。
【図１８】  ノックダウン工法における中間横枠縦断面図（その２）（図１のXVIII-XVIII線矢視図）である。
【図１９】  方立２を使用する場合の方立支持部平面図である。
【図２０】  その側面図である。
【図２１】  分割方立１３を使用する場合の方立支持部平面図である。
【図２２】  その側面図である。
【図２３】  工法変更およびデザイン変更の対応関係を示す図である。
【図２４】  単層ガラス仕様への変更および見付け幅変更例を示す、(A)は水平横断面図、(B)は縦断面図である。
【図２５】  縦・横同調型カーテンウォールへの変更を示す、(A)は水平横断面図、(B)は縦断面図である。
【図２６】  横強調型カーテンウォールへの変更を示す、(A)は水平横断面図、(B)は縦断面図である。
【図２７】  横連窓への対応を示す、(A)は縦断面図、(B)は水平横断面図である。
【図２８】  ノックダウン工法における横強調型カーテンウォールへの変更を示す、(A)は水平横断面図、(B)は縦断面図である。
【図２９】  縦押縁の断面形状変更によるデザイン変更例を示す水平横断面図である。
【図３０】  横目地化粧カバーによるデザイン変更例を示す縦断面図である。
【図３１】  同一壁面で異なる工法および異なるデザインを混在させて構成した場合のカーテンウォール姿図である。
【符号の説明】
ＢＭ…セミユニット方式バックマリオン、ＳＭ…フルユニット方式スプリットマリオン、ＬＵ…ハシゴユニット方式スプリットマリオン、ＫＤ…ノックダウン、２…方立、３Ａ・３Ｂ…縦枠、４Ａ…上横枠、４Ｂ…下横枠、５…中間横枠、６Ａ・６Ｂ…縦押縁、７Ａ・７Ｂ・８Ａ・８Ｂ…横押縁、９…取付け用ブラケット、１３…分割方立、１４…縦枠、６Ａ'・６Ｂ'…縦押縁、６２…横押縁、６２Ａ・６２Ｂ…横押縁、６９Ａ・６９Ｂ…縦押縁、７２…横目地化粧カバー
【図１】
0003849845.tif 000002
【図２】
0003849845.tif 000003
【図３】
0003849845.tif 000004
【図４】
0003849845.tif 000005
【図５】
0003849845.tif 000006
【図６】
0003849845.tif 000007
【図７】
0003849845.tif 000008
【図８】
0003849845.tif 000009
【図９】
0003849845.tif 000010
【図１０】
0003849845.tif 000011
【図１１】
0003849845.tif 000012
【図１２】
0003849845.tif 000013
【図１３】
0003849845.tif 000014
【図１４】
0003849845.tif 000015
【図１５】
0003849845.tif 000016
【図１６】
0003849845.tif 000017
【図１７】
0003849845.tif 000018
【図１８】
0003849845.tif 000019
【図１９】
0003849845.tif 000020
【図２０】
0003849845.tif 000021
【図２１】
0003849845.tif 000022
【図２２】
0003849845.tif 000023
【図２３】
0003849845.tif 000024
【図２４】
0003849845.tif 000025
【図２５】
0003849845.tif 000026
【図２６】
0003849845.tif 000027
【図２７】
0003849845.tif 000028
【図２８】
0003849845.tif 000029
【図２９】
0003849845.tif 000030
【図３０】
0003849845.tif 000031
【図３１】
0003849845.tif 000032